(57)【要約】【課題】放送信号受信装置において、低コストでありながらも、アップ／ダウン選局におけるユーザの操作を簡素化する。【解決手段】制御部は、異なる変調方式で同一のソースＩＤが付与されたチャンネルのうち、アナログ変調方式に係るチャンネルの追加／削除フラグを削除状態とする。また、制御部は、異なる変調方式、異なるソースＩＤであって、放送局名から末尾のＨＤ表示又はＳＤ表示を除いたものが同一となるチャンネルのうち、アナログ放送のチャンネルの追加／削除フラグを削除状態とする。制御部は、追加／削除フラグが削除状態とされたチャンネルをアップ／ダウン選局に反映させないので、デジタル放送と同一の放送局から配信されるアナログ放送は、アップ／ダウン選局に反映されない。これにより、選局に要する操作が簡素化される。【選択図】図２
2008311756.tif 000002
【特許請求の範囲】
【請求項１】
放送信号に含まれる映像信号及び音声信号を受信する映像音声信号受信手段と、放送信号に含まれる放送制御信号を受信する制御信号受信手段と、この制御信号受信手段が受信した放送制御信号を処理する制御信号処理手段と、この制御信号処理手段によって処理された信号に基づいて受信可能なチャンネルに関する情報を含むチャンネルマップ情報を作成する制御手段と、この制御手段が作成したチャンネルマップ情報を記憶する記憶手段と、前記映像音声信号受信手段が受信するチャンネルを選択するために、ユーザによって操作されるアップ／ダウンキーとを備えた放送信号受信装置において、
前記チャンネルマップ情報は、各チャンネル毎に、前記アップ／ダウンキーが操作されたとき、該当するチャンネルを選局動作に反映させるか否かを判断するための追加／削除フラグを有し、
前記制御手段は、
前記アップ／ダウンキーが操作されたとき、
該当するチャンネルの追加／削除フラグが追加状態となっているとき、そのチャンネルを選局動作に反映させ、
該当するチャンネルの追加／削除フラグが削除状態となっているとき、そのチャンネルを選局動作に反映させないことを特徴とする放送信号受信装置。
【請求項２】
前記チャンネルマップ情報は、各チャンネル毎に、デジタル又はアナログの変調方式に関する情報と、放送局に対応するソースＩＤとを有し、
前記制御手段は、同一のソースＩＤを有する複数のチャンネルが前記チャンネルマップ情報に存在する場合、前記デジタルの変調方式に係るチャンネルの追加／削除フラグを追加状態とし、アナログの変調方式に係るチャンネルの追加／削除フラグを削除状態とすることを特徴とする請求項１に記載の放送信号受信装置。
【請求項３】
前記チャンネルマップ情報は、各チャンネル毎に、放送局名を有し、
前記放送局名は、その末尾にデジタル放送である旨を示すＨＤ表示又はアナログ放送である旨を示すＳＤ表示を含むものであり、
前記制御手段は、前記放送局名から末尾のＨＤ表示又はＳＤ表示を除いたものが同一となるチャンネルが前記チャンネルマップ情報に存在する場合、
末尾にＨＤ表示を含む放送局名に係るチャンネルの追加／削除フラグを追加状態とし、末尾にＳＤ表示を含む放送局名に係るチャンネルの追加／削除フラグを削除状態とすることを特徴とする請求項１に記載の放送信号受信装置。
【発明の詳細な説明】
【技術分野】
【０００１】
本発明は、放送信号に含まれる映像信号及び音声信号を受信してモニタ装置等に出力する放送信号受信装置に関するものである。
【背景技術】
【０００２】
従来から、アナログとデジタルで変調方式のみが異なる同一の番組を同時に放送していることがある。デジタル放送対応の放送信号受信装置においては、画質及び音質等の観点からもアナログ放送を選局するメリットはないといえる。ところが、チャンネルのアップ／ダウン選局において、全てのチャンネルについて順次選局しなければならないとすると、操作が煩雑となり、使い勝手が悪い。
【０００３】
そこで、特許文献１には、ＳＤＴＶ放送と判断した場合には、各チャンネル毎にアップ／ダウン選局を行い、ＨＤＴＶ放送と判断した場合には、ＨＤＴＶを行うＳＤＴＶの複数チャンネルを統合して一つのチャンネルとして取扱い、アップ／ダウン選局を行う技術が示されている。
【特許文献１】特開２００１−１８９８９４号公報
【発明の開示】
【発明が解決しようとする課題】
【０００４】
しかしながら、上記特許文献１に示された技術においては、チャンネル選局において装置が行うべき処理が複雑で、迅速に選局を行うためには、処理能力の高い高価な情報処理回路が必要となり、装置のコストアップを招来している。
【０００５】
本発明は、上記課題を解決するためになされたものであり、低コストでありながらも、アップ／ダウン選局におけるユーザの操作を簡素化して、使い勝手を高めることができる放送信号受信装置を提供することを目的とする。
【課題を解決するための手段】
【０００６】
上記目的を達成するために請求項１の発明は、
放送信号に含まれる映像信号及び音声信号を受信する映像音声信号受信手段と、放送信号に含まれる放送制御信号を受信する制御信号受信手段と、この制御信号受信手段が受信した放送制御信号を処理する制御信号処理手段と、この制御信号処理手段によって処理された信号に基づいて受信可能なチャンネルに関する情報を含むチャンネルマップ情報を作成する制御手段と、この制御手段が作成したチャンネルマップ情報を記憶する記憶手段と、前記映像音声信号受信手段が受信するチャンネルを選択するために、ユーザによって操作されるアップ／ダウンキーとを備えた放送信号受信装置において、
前記チャンネルマップ情報は、各チャンネル毎に、前記アップ／ダウンキーが操作されたとき、該当するチャンネルを選局動作に反映させるか否かを判断するための追加／削除フラグを有し、
前記制御手段は、
前記アップ／ダウンキーが操作されたとき、
該当するチャンネルの追加／削除フラグが追加状態となっているとき、そのチャンネルを選局動作に反映させ、
該当するチャンネルの追加／削除フラグが削除状態となっているとき、そのチャンネルを選局動作に反映させないものである。
【０００７】
請求項２の発明は、請求項１に記載の放送信号受信装置において、
前記チャンネルマップ情報は、各チャンネル毎に、デジタル又はアナログの変調方式に関する情報と、放送局に対応するソースＩＤとを有し、
前記制御手段は、同一のソースＩＤを有する複数のチャンネルが前記チャンネルマップ情報に存在する場合、前記デジタルの変調方式に係るチャンネルの追加／削除フラグを追加状態とし、アナログの変調方式に係るチャンネルの追加／削除フラグを削除状態とするものである。
【０００８】
請求項３の発明は、請求項１に記載の放送信号受信装置において、
前記チャンネルマップ情報は、各チャンネル毎に、放送局名を有し、
前記放送局名は、その末尾にデジタル放送である旨を示すＨＤ表示又はアナログ放送である旨を示すＳＤ表示を含むものであり、
前記制御手段は、前記放送局名から末尾のＨＤ表示又はＳＤ表示を除いたものが同一となるチャンネルが前記チャンネルマップ情報に存在する場合、
末尾にＨＤ表示を含む放送局名に係るチャンネルの追加／削除フラグを追加状態とし、末尾にＳＤ表示を含む放送局名に係るチャンネルの追加／削除フラグを削除状態とするものである。
【発明の効果】
【０００９】
請求項１の発明によれば、ユーザによってアップ／ダウンキーが操作されたとき、制御手段が、追加／削除フラグの状態を確認して、該当するチャンネルを選局動作に反映させるか否かを判断するので、制御部の処理を簡素なものとすることができる。これにより、制御部として処理能力の高くない安価な部品を用いながらも、アップ／ダウン選局におけるユーザの操作を簡素化することができ、装置の使い勝手を高めることが可能となる。
【００１０】
請求項２の発明によれば、同一のソースＩＤを有する複数のチャンネルがチャンネルマップ情報に存在する場合、デジタルの変調方式に係るチャンネルの追加／削除フラグが追加状態とされ、アナログの変調方式に係るチャンネルの追加／削除フラグが削除状態とされる。これにより、高品位なデジタルの変調方式に係るチャンネルがアップ／ダウン選局に反映され、アナログの変調方式に係るチャンネルは、アップ／ダウン選局に反映されなくなり、装置の使い勝手を高めることが可能となる。
【００１１】
請求項３の発明によれば、放送局名から末尾のＨＤ表示又はＳＤ表示を除いたものが同一となるチャンネルが存在する場合、末尾にＨＤ表示を含む放送局名に係るチャンネルの追加／削除フラグが追加状態とされ、末尾にＳＤ表示を含む放送局名に係るチャンネルの追加／削除フラグが削除状態とされる。これにより、異なるソースＩＤを有する同一の放送局から同一内容のデジタル及びアナログの放送が配信されている場合であっても、高品位なデジタル放送に係るチャンネルをアップ／ダウン選局に反映させ、アナログ放送に係るチャンネルを、アップ／ダウン選局に反映させないようにすることができる。
【発明を実施するための最良の形態】
【００１２】
本発明の一実施形態による放送信号受信装置について図面を参照して説明する。図１はケーブルを介して配信されたテレビジョン放送信号を受信する放送信号受信装置１を示している。放送信号受信装置１は、ユーザが希望する放送信号を選局し、映像信号及び音声信号を含む放送信号を受信するチューナ（映像音声信号受信手段）２と、チューナ２から出力された放送信号をＭＰＥＧ−ＴＳのデジタルデータに変換するデモジュレータ３と、多重化されたＭＰＥＧ−ＴＳのデジタルデータのうち、ユーザによって選局されたデータのみを取り出すデマルチプレクサ４と、ＭＰＥＧ−ＴＳのデジタルデータを映像信号に変換するＭＰＥＧデコーダ５と、ＭＰＥＧデコーダ５からユーザが選択した映像信号をモニタ装置等の出力装置に対応させて出力するスケーラ６と、ケーブル放送のローカルプロバイダから送られてくる放送信号に含まれる放送制御信号を受信し、復調する制御信号受信部（ＲＸ：制御信号受信手段）７と、上記各部の制御を司るＣＰＵ等から成る制御部（制御手段）８と、制御部８が処理する情報等を記憶するメモリ等から成る記憶部（記憶手段）９と、放送信号受信装置１の本体に挿入され、制御信号受信部７が受信した放送制御信号を処理するカード型の制御信号処理部（制御信号処理手段）１０等によって構成されている。また、本放送信号受信装置１は、デジタル放送及びアナログ放送に対応するものであり、アナログの放送信号（ＮＴＳＣ）を映像信号に変換するＮＴＳＣデコーダ１１が備えられている。
【００１３】
制御信号処理部１０は、いわゆるケーブルカードと称されるカード型の信号処理装置であり、ケーブルテレビ会社と契約したユーザに該ケーブルテレビ会社から付与される。制御信号処理部１０は、デモジュレータ３によって変換された放送信号のうち、有料放送等のスクランブルを解除するデスクランブラ１５と、制御信号受信部７から出力された放送制御信号をデスクランブラ１５および制御信号処理部１０の制御部１７に送出するデータレシーバ１６と、制御信号処理部１０の各部の制御を司る制御部１７と、制御部１７のファームウェア１８等によって構成されている。
【００１４】
制御信号処理部１０が放送信号受信装置１の本体に装着されることにより、デスクランブラ１５が機能し、デジタル放送信号をチューナ２、デモジュレータ３、デスクランブラ１５、デマルチプレクサ４、ＭＰＥＧデコーダ５及びスケーラ６によって順次処理してモニタ装置に出力させること可能となる。一方、受信可能なチャンネルに関する情報等を含む放送制御信号は、制御信号受信部７、データレシーバ１６、制御部１７、制御部８によって順次処理される。制御部８は、制御部１７から出力された受信可能なチャンネルに関する情報に基づいてチャンネルマップ情報を作成し、このチャンネルマップ情報を、記憶部９に一旦記憶させる。制御部８は、ユーザからの要求に応じて、記憶部９に記憶させたチャンネルマップ情報をチャンネルマップとしてモニタ装置に表示させる。放送制御信号は、例えば数十秒毎の頻度で放送局から定期的に配信されている。制御部８は、制御信号受信部７が放送制御信号を受信する度にチャンネルマップ情報を更新する。現在のところ、アナログ放送とデジタル放送は併存しているため、例えば、アナログ放送のＮＴＳＣ、デジタル放送の６４ＱＡＭ、２５６ＱＡＭといった変調方式が異なる同じ番組が同時に配信されている。
【００１５】
図２は、チャンネルマップ情報の一部及びそのソースＩＤと放送局名の対応関係を示している。チャンネルマップ情報は、図２（ａ）に示すように、例えば、チャンネル番号、周波数、変調方式、ソースＩＤ、追加／削除フラグ、放送局名等のチャンネルに関する情報によって構成されている。このうち、例えば、チャンネル番号、周波数、変調方式、放送局名等については、モニタ装置に表示可能である。また、ソースＩＤと放送局名とは、図２（ｂ）に示すように、ＥＩＴ（Event Information Table）によって対応付けられている。
【００１６】
ソースＩＤは、各チャンネルの放送局に対応毎に付与されている。図２においては、アナログの３チャンネルとデジタルの１００チャンネルは、原則として、同一のソースＩＤ”０ｘ０００１”が付与されており、同一の放送局”ＡＢＣ”から配信されているものとする。また、アナログの５チャンネルとデジタルの１０２チャンネルのように、同一の放送局”ＰＢＣ”でありながらも、異なるソースＩＤ”０ｘ０００３”及び”０ｘ０００５”が付与されている場合もある。この場合においては、アナログ放送については、放送局名の末尾に「（ＳＤ）」の表示が、デジタル放送については、放送局名の末尾に「（ＨＤ）」の表示が追記されている。
【００１７】
追加／削除フラグは、後述するリモートコントローラのアップ／ダウンキー２１ａ、２１ｂ（図３参照）が操作されたとき、該当するチャンネルを選局動作に反映させるか否かを判断するために設定されている。追加／削除フラグが追加状態のとき、アップ／ダウンキー２１ａ、２１ｂの操作が、該当するチャンネルの選局動作に反映され、追加／削除フラグが削除状態のとき、アップ／ダウンキー２１ａ、２１ｂの操作が、該当するチャンネルの選局動作に反映されない。例えば、図２において４チャンネルが選局されているときにダウンキー２１ｂが操作された場合にあっては、その操作は、５チャンネルの選局に反映されず、その次のチャンネル、すなわち１００チャンネルの選局に反映される。その結果５チャンネルがスキップされて１００チャンネルが選局されることになる。この場合においても、追加／削除フラグが削除状態とされたチャンネルは、アップ／ダウンキー２１ａ、２１ｂの操作によって選局できないだけであり、そのチャンネルに関する情報は、チャンネルマップ情報から削除されることはない。
【００１８】
図３は、放送信号受信装置１の制御部８に指令を入力するためのリモートコントローラ１９を示している。リモートコントローラ１９は、受信チャンネルを選局するためのチャンネル選局キー２０、音声出力部６から出力される音声の音量等を調整するための方向キー２１、タイマー等の設定を行うための各種の設定キー２２等を有している。方向キー２１は、アップ／ダウンキー２１ａ、２１ｂを含み、このアップ／ダウンキー２１ａ、２１ｂを操作することにより、受信チャンネルを順次変更することが可能となる。
【００１９】
ソースＩＤは、各チャンネルの放送局に対応毎に付与されている。図２においては、アナログの３チャンネルとデジタルの１００チャンネルには、原則として、同一のソースＩＤ”０ｘ０００１”が付与されており、同一の放送局”ＡＢＣ”から配信されている。また、アナログの５チャンネルとデジタルの１０２チャンネルのように、同一の放送局”ＰＢＳ”でありながらも、異なるソースＩＤ”０ｘ０００３”及び”０ｘ０００５”が付与されている場合もある。この場合においては、アナログ放送については、放送局名の末尾に「（ＳＤ）」の表示が、デジタル放送については、放送局名の末尾に「（ＨＤ）」の表示が追記されている。また、追加／削除フラグは、アップ／ダウンキー２１ａ、２１ｂが操作されたとき、該当するチャンネルを選局動作に反映させるか否かを判断するために設定されている。追加／削除フラグが追加状態のとき、アップ／ダウンキー２１ａ、２１ｂの操作が、該当するチャンネルの選局動作に反映され、追加／削除フラグが削除状態のとき、アップ／ダウンキー２１ａ、２１ｂの操作が、該当するチャンネルの選局動作に反映されない。この場合においても、追加／削除フラグが削除状態とされたチャンネルは、アップ／ダウンキー２１ａ、２１ｂの操作によって選局できないだけであり、そのチャンネルに関する情報は、チャンネルマップ情報から削除されることはない。
【００２０】
以下、制御部８によるチャンネルマップ情報の登録処理について、図４及び図５を参照しつつ説明する。制御部８は、放送信号アウトオブバンズから１チャンネル分のデータ（放送制御信号）を獲得し、それを”データＡ”とする（＃１）。そして、チャンネルマップ情報内に＃１において獲得したデータのチャンネル番号と同じチャンネル番号、変調方式の組が存在する場合（＃２においてＹＥＳ）、制御部８は、チャンネルマップ情報内の該当するチャンネルのデータを上記”データＡ”と置き換え（＃３）、＃６に移行する。チャンネルマップ情報内に＃１において獲得したデータのチャンネル番号と同じチャンネル番号が存在しない場合（＃２においてＮＯ）、制御部８は、チャンネルマップ情報内に上記”データＡ”を新規登録し（＃４）、その追加／削除フラグを追加状態とする（＃５）。これにより、チャンネルマップに新たなチャンネルが登録される。この＃１から＃５までの処理は、放送信号のアウトオブバンズ内に放送制御信号が含まれている全チャンネルがチャンネルマップに登録されるまで繰り返される（＃６においてＮＯ）。
【００２１】
全チャンネルがチャンネルマップに登録されると（＃６においてＹＥＳ）、制御部８は、チャンネルマップ情報から１チャンネル分のデータを獲得し、それを”データＢ”とする（＃７）。そして、そのチャンネルの変調方式がＮＴＳＣの場合（＃８においてＹＥＳ）、制御部８は、図５に示すアナログ放送チャンネルの選局無効化処理を行い（＃９）、＃１０に移行する。チャンネルの変調方式がＮＴＳＣではない場合（＃８においてＮＯ）、制御部８は、＃９をスキップして＃１０に移行する。この＃７から＃９までの処理は、チャンネルマップ情報内の全てのチャンネルについて繰り返され（＃１０においてＮＯ）、その後（＃１０においてＹＥＳ）、制御部８は、処理を終了する。
【００２２】
図５は、＃９におけるアナログ放送チャンネルの選局無効化処理を示している。制御部８は、チャンネルマップ情報からデータＢ以外の１チャンネル分のデータを獲得し、それを”データＣ”とする（＃１１）。そして、”データＢ”と”データＣ”のチャンネルの変調方式が異なる場合には（＃１２においてＹＥＳ）、＃１３に移行し、”データＢ”と”データＣ”のソースＩＤが一致する場合は（＃１３においてＹＥＳ）、チャンネルマップ情報のデータＢの追加／削除フラグを削除状態とする（＃１４）。これにより、図２における３チャンネルの追加／削除フラグが削除状態とされる。すなわち、異なる変調方式で同一のソースＩＤが付与されたチャンネルのうち、アナログ変調方式に係るチャンネルの追加／削除フラグが削除状態とされる。
【００２３】
一方、”データＢ”と”データＣ”のソースＩＤが一致しない場合は（＃１３においてＮＯ）、制御部８は、”データＢ”のソースＩＤを参照してその放送局名を獲得し、それを”データＢ＿ＮＡＭＥ”とする（＃１５、＃１６においてＹＥＳ）。そして、”データＢ＿ＮＡＭＥ”の末尾に「（ＳＤ）」の表記があれば（＃１７においてＹＥＳ）、”データＢ＿ＮＡＭＥ”から「（ＳＤ）」の表記を削除して（＃１８）、＃１９に移行する。”データＢ＿ＮＡＭＥ”の末尾に「（ＳＤ）」の表記がなければ（＃１７においてＮＯ）、＃１８をスキップして、＃１９に移行する。
【００２４】
さらに制御部８は、”データＣ”のソースＩＤを参照してその放送局名を獲得し、それを”データＣ＿ＮＡＭＥ”とする（＃１９、＃２０においてＹＥＳ）。そして、”データＣ＿ＮＡＭＥ”の末尾に「（ＨＤ）」の表記があれば（＃２１においてＹＥＳ）、”データＣ＿ＮＡＭＥ”から「（ＨＤ）」の表記を削除して（＃２２）、＃２３に移行する。＃２３においては、＃１８において「（ＳＤ）」の表記を削除した”データＢ＿ＮＡＭＥ”と＃２２おいて「（ＨＤ）」の表記を削除した”データＣ＿ＮＡＭＥ”とを比較する。両者が一致するときは、（＃２３においてＹＥＳ）、チャンネルマップ情報のデータＢの追加／削除フラグを削除状態として（＃１４）、＃２４に移行する。これにより、図２における５チャンネルの追加／削除フラグが削除状態とされる。すなわち、異なる変調方式、異なるソースＩＤであって、放送局名から末尾のＨＤ表示又はＳＤ表示を除いたものが同一となるチャンネルのうち、アナログ放送のチャンネルの追加／削除フラグが削除状態とされる。なお、＃１２、＃１６、＃２０及び＃２４においてＮＯの場合は、＃２４に移行する。この＃１１から＃２３までの処理は、チャンネルマップ情報内の全てのチャンネルについて繰り返され（＃２４においてＮＯ）、その後（＃２４においてＹＥＳ）、制御部８は、処理を終了する。
【００２５】
以上のように、本実施形態の放送信号受信装置１によれば、ユーザによってアップ／ダウンキー２１ａ、２１ｂが操作されたとき、制御部８が、追加／削除フラグの状態を確認して、該当するチャンネルを選局動作に反映させるか否かを判断するので、制御部８の処理を簡素なものとすることができる。これにより、制御部８として処理能力の高くない安価な部品を用いながらも、アップ／ダウン選局におけるユーザの操作を簡素化することができ、装置の使い勝手を高めることが可能となる。また、同一のソースＩＤを有する複数のチャンネルがチャンネルマップ情報に存在する場合、デジタルの変調方式に係るチャンネルの追加／削除フラグが追加状態とされ、アナログの変調方式に係るチャンネルの追加／削除フラグが削除状態とされる。これにより、高品位なデジタルの変調方式に係るチャンネルがアップ／ダウン選局に反映され、アナログの変調方式に係るチャンネルは、アップ／ダウン選局に反映されなくなる。また、放送局名から末尾のＨＤ表示又はＳＤ表示を除いたものが同一となるチャンネルが存在する場合、末尾にＨＤ表示を含む放送局名に係るチャンネルの追加／削除フラグが追加状態とされ、末尾にＳＤ表示を含む放送局名に係るチャンネルの追加／削除フラグが削除状態とされる。これにより、異なるソースＩＤを有する同一の放送局から同一内容のデジタル及びアナログの放送が配信されている場合であっても、高品位なデジタル放送に係るチャンネルをアップ／ダウン選局に反映させ、アナログ放送に係るチャンネルを、アップ／ダウン選局に反映させないようにすることができる。
【００２６】
なお、本発明は上記実施形態の構成に限られることなく、少なくともアップすらダウンキー２１ａ、２１ｂが操作されたとき、制御部８が、各チャンネルに設定されている追加／削除フラグを確認し、削除状態となっているチャンネルをアップ／ダウン選局に反映させないようにするように構成されていればよい。また、本発明は種々の変形が可能であり、例えば、本放送信号受信装置１は、ケーブルテレビジョン放送に対応するものであるが、地上デジタル放送や衛星デジタル放送に対応する放送受信装置にも広く適用することができる。
【図面の簡単な説明】
【００２７】
【図１】本発明の一実施形態による放送信号受信装置の構成を示すブロック図。
【図２】（ａ）は記憶部に記憶されたチャンネルマップ情報の一部を示す図、（ｂ）はソースＩＤと放送局名の対応関係を示す図。
【図３】同装置のリモートコントローラの構成を示す平面図。
【図４】チャンネルマップ情報の登録の際に、制御部が行う処理を示すフローチャート。
【図５】アナログ放送チャンネルの選局無効化の際に、制御部が行う処理を示すフローチャート。
【符号の説明】
【００２８】
１    放送信号受信装置
２    チューナ（映像音声信号受信手段）
７    制御信号受信部（制御信号受信手段）
８    制御部（制御手段）
９    記憶部（記憶手段）
２１ａ、２１ｂ    アップ／ダウンキー
【図１】
2008311756.tif 000003
【図２】
2008311756.tif 000004
【図３】
2008311756.tif 000005
【図４】
2008311756.tif 000006
【図５】
2008311756.tif 000007